(57)【要約】【課題】  核バイオ化学の有毒ガス中和に用いる空気浄化機を提供する。【解決手段】  空気浄化機１０は、シェル１９、気体動力ユニット１４、発光ユニット１８、中和剤を納める蒸発皿１７、及び触媒装置１５を備える。気体動力ユニット１４は、シェル１９の空気入口１１に設置し、紫外線発光ユニット１８と触媒装置１５はシェル１９内に設置する。本発明は、発光ユニット１８を触媒装置１５に組み合わせることにより、空気を浄化し、浄化後の空気をシェル１９の空気出口１３から排出する。【選択図】  図１Ａ
2014511718.tif 000002
【特許請求の範囲】
【請求項１】
シェルと気体動力ユニットと発光ユニットと蒸発皿と触媒装置とを備える空気浄化機であって、
前記シェルには、空気入口と少なくとも一つの空気出口を設け、
前記気体動力ユニットは、空気入口の後方に設置し、気体動力ユニットは、空気をシェル内に導き入れ、蒸発皿内の中和剤の蒸発動力となり、
前記発光ユニットは、シェル内に設置し、該発光ユニットは紫外線を発射し、
前記蒸発皿は、シェル内に設置し、蒸発皿内には少なくとも一つの中和剤を納め、
前記触媒装置は、シェル内に設置し、尚且つ空気出口の一方に位置させ、紫外線は触媒装置を照射し、触媒装置は中和剤を促進させて空気を浄化し、浄化した後の空気をシェルの空気出口から排出することを特徴とする空気浄化機。
【請求項２】
前記気体動力ユニットが導く空気は、中和剤を蒸発或いは昇華させ、蒸発或いは昇華を経た中和剤は空気中の有毒物質を中和することを特徴とする請求項１に記載の空気浄化機。
【請求項３】
前記中和剤は、液体或いは固体の核バイオ化学反応中和剤であり、少なくとも一つの核バイオ化学有毒物質を中和することを特徴とする請求項２に記載の空気浄化機。
【請求項４】
前記中和剤は水であり、その水は、放射性物質の中性子減速材であり、さらに、空気加湿剤となり空気温度を調整することを特徴とする請求項２に記載の空気浄化機。
【請求項５】
前記空気浄化機は、空気入口の前に設置する空気穴フィルタ材を含み、空気入口を通過する空気をろ過することを特徴とする請求項１に記載の空気浄化機。
【請求項６】
前記空気浄化機は、気体動力ユニットの前に設置する空気フィルタを含み、空気入口を通過する空気をろ過することを特徴とする請求項１に記載の空気浄化機。
【請求項７】
前記空気清浄機は、空気フィルタと気体動力ユニットの間に設置する連接風管を含み、気体動力ユニットは、連接風管を通して空気フィルタに連接し、空気をシェル内に導き入れることを特徴とする請求項６に記載の空気浄化機。
【請求項８】
シェルと空気穴フィルタ材と軸流ファンとを備える空気浄化機であって、
前記シェルには、空気入口と少なくとも一つの空気出口を設け、
前記空気穴フィルタ材は、空気入口の前に設置してそれを被覆し、
前記軸流ファンは、空気入口の後ろに設置し、空気を導いて空気穴フィルタ材を通過させ、軸流ファンの吸引力によって空気穴フィルタ材を固定し、空気出口からきれいな空気を排出することを特徴とする空気浄化機。
【請求項９】
通風口を設ける気密未完全キャビンに応用することを特徴とする空気浄化機であって、  前記空気浄化機には、連通管と、シェルと、空気穴フィルタ材と、空気ブロワーとを備え、
前記連通管は、気密未完全キャビンの通風口の後ろに設置し、空気浄化機の空気入口に連接し、
前記シェルは、空気入口と少なくとも一つの空気出口を設け、空気入口は、連通管を介して通風口に連接し、空気出口は気密未完全キャビン内に設置し、
前記空気穴フィルタ材は、空気入口の前に設置し、
前記空気ブロワーは、空気入口の後ろに設置し、空気ブロワーの吸引力で空気穴フィルタ材を固定し、空気ブロワーによって導かれる未清浄空気は、空気穴フィルタ材を通過してシェル内に送られ、空気出口を経て、きれいな空気は気密未完全キャビン内に排出され、そのきれいな空気により、気密未完全キャビン内の室内の気圧は、気密未完全キャビンの外周囲環境の室外気圧よりも大きくなることを特徴とする空気浄化機。
【発明の詳細な説明】
【技術分野】
【０００１】
本発明は、特に、核、バイオ、化学の有毒ガス中和に用いる空気浄化機に関する。
【背景技術】
【０００２】
伝統的な空気浄化（清浄）機は、一般には不織布と活性炭或いは活性炭繊維を用いて汚れた空気をろ過し、空気を浄化する作用を実現する。
【０００３】
環境内の空気中に大量の化学有毒ガス或いは生物毒剤がある場合、このバイオ化学の有毒ガスは、蒸気状態或いは極小の粒径であるため、不織布で完全にろ過することは不可能である。それと同時に、活性炭装置にもまた、このバイオ化学有毒ガスの吸着能力が好ましくない場合は、ろ過が不完全となる問題が発生する。
【０００４】
現在、空気浄化機内に光触媒分解装置を加えたものもあるが、光触媒分解装置を利用して、化学有毒ガス或いは生物毒剤を酸化させる効果にも一定の制限を受ける。バイオ化学有毒ガスは、中和剤に反応して、自ら効率的な光分解反応を進行させる必要があり、また、光触媒だけで、その他の化学中和剤がない場合は、不完全な酸化還元反応を引き起こして制限を受けることもある。
【０００５】
前述より理解できる通り、前述した現有の空気浄化機は構造及び使用において明らかに不便な点並びに欠点が存在する故に、更なる改善が待たれている。前述に存在する問題点を解決するために、関連メーカーは心を尽くして解決の道を捜し求めたが、長い間、それを発展させて完成させるための適当な設計に出会うことはなく、一般の製品には、上述の問題を解決するための適切な構造はまだ見られておらず、明らかに、関連業者が解決を急いでいる問題点である。よって、新規構造を備えた空気浄化機をいかに創出し、現有する公知空気浄化機において有毒ガス浄化効果が制限されている問題点を改善して有毒ガス浄化効果を高めるかが、実際に、現在、研究、開発されている重要な課題の一つであり、現在、業界における非常に切迫した改善目標でもある。
【発明の概要】
【発明が解決しようとする課題】
【０００６】
本発明の主な目的は、現有の空気浄化機に存在する欠点を克服し、新規構造の空気浄化機を提供することにある。それによって解決しようとする技術的な問題は、それらに中和剤と空気中のバイオ化学物質による酸化還元反応を生じさせることにより、バイオ化学有毒物質が消失するか毒性を低下させて、空気を浄化する目的を実現することであり、これによって、非常に実用的なものとなる。
【０００７】
本発明の次の目的は、新規構造の空気浄化機を提供することにある。それによって解決しようとする技術的な問題は、水或いはホウ酸で作る中和剤を、放射性物質の中性子分裂反応減速促進剤とし、放射性物質による損傷を低下させる目的を実現することであり、これによって、さらに実用的なものとなる。
【０００８】
本発明のさらにもう一つの目的は、新規構造を備えた空気浄化機を提供することにある。それによって解決しようとする技術的な問題は、空気の浄化に空気の加湿を結合し、快適な呼吸環境を提供する目的を実現することであり、これによって、さらに実用的なものとなる。
【課題を解決するための手段】
【０００９】
本発明の目的及び前記技術問題の解決のために、次の技術手段を採用して実施する。本発明の提供する空気浄化機は、シェルと気体動力ユニットと発光ユニットと蒸発皿と触媒装置とを含む。前記シェルには、空気入口と少なくとも一つの空気出口を設ける。前記気体動力ユニットは、空気入口の後方に設置し、気体動力ユニットは、空気をシェル内に導き入れ、蒸発皿内の中和剤の蒸発動力となる。前記発光ユニットは、シェル内に設置し、該発光ユニットは紫外線を発射する。前記蒸発皿はシェル内に設置し、蒸発皿内には少なくとも一つの中和剤を納める。前記触媒装置はシェル内に設置し、空気出口の一方に位置し、紫外線は触媒装置を照射する。触媒装置は中和剤を促進させて、空気を浄化し、浄化した後の空気をシェルの空気出口から排出する。
【００１０】
本発明の目的及び前記技術問題の解決のために、次の技術手段を採用して実施する。
前記空気浄化機において、前記気体動力ユニットが導く空気は、中和剤を蒸発或いは昇華させ、蒸発或いは昇華を経た中和剤が空気中の有毒物質を中和する。
前記空気浄化機において、前記中和剤は液体或いは固体の核バイオ化学反応中和剤であり、少なくとも一つの核バイオ化学有毒物質を中和する。
前記空気浄化機において、前記中和剤は水であり、その水は、放射性物質の中性子減速材であり、さらに、空気加湿剤となり空気温度を調整する。
前記空気浄化機は、空気入口の前に設置する空気穴フィルタ材を含み、該空気入口を通過する空気をろ過する。
前記空気浄化機は、さらに、気体動力ユニットの前に設置する空気フィルタを含み、空気入口を通過する空気をろ過する。
前記空気清浄機は、空気フィルタと気体動力ユニットの間に設置する連接風管を含み、気体動力ユニットは、連接風管を通して空気フィルタに連接し、空気をシェル内に導き入れる。本発明の目的及び前記技術問題の解決のために、次の技術手段を採用して実施する。本発明の提供する空気浄化機は、シェルと空気穴フィルタ材と軸流ファンを含む。前記シェルには、空気入口と少なくとも一つの空気出口を設ける。前記空気穴フィルタ材は空気入口の前に設置してそれを被覆する。前記軸流ファンは、空気入口の後ろに設置し、空気を導いて空気穴フィルタ材を通過させ、軸流ファンの吸引力によって空気穴フィルタ材を固定し、空気出口からきれいな空気を排出する。
【００１１】
本発明の目的及び前記技術問題の解決のために、次の技術手段を別に採用して実施する。本発明の提供する空気浄化機を気密未完全キャビンに応用する。該気密未完全キャビンには、通風口を設ける。前記空気浄化機には、連通管とシェルと空気穴フィルタ材と空気ブロワーとを備える。前記連通管は、気密未完全キャビンの通風口の後ろに設置し、空気浄化機の空気入口に連接する。前記シェルは、空気入口と少なくとも一つの空気出口を設け、空気入口は、連通管を介して通風口に連接し、空気出口は気密未完全キャビン内に設置する。前記空気穴フィルタ材は、空気入口の前に設置する。前記空気ブロワーは、空気入口の後ろに設置し、空気ブロワーの吸引力で空気穴フィルタ材を固定し、空気ブロワーによって、導かれる未清浄空気は、空気穴フィルタ材を通過してシェル内に送られ、空気出口を経て、きれいな空気は気密未完全キャビン内に排出される。そのきれいな空気により、気密未完全キャビン内の室内の気圧は気密未完全キャビンの外周囲環境の室外気圧よりも大きくなる。
【発明の効果】
【００１２】
本発明と現有する技術を比較すると、明らかに長所と有益な効果が見られる。以上の技術手段から理解できるように、前記目的を達成するために、本発明が提供する空気浄化機は、シェルと気体動力ユニットと発光ユニットと触媒装置とを含む。前記シェルには、空気入口と少なくとも一つの空気出口を設ける。前記気体動力ユニットは、シェルの空気入口の後方に設置し、気体動力ユニットは、空気をシェル内に導き入れる。前記発光ユニットと触媒装置は、シェル内に設置し、前記触媒装置は発光ユニットの一方に配置し、触媒装置は発光ユニットの提供する高量子エネルギーの紫外線を用いてシェル内空気中の有毒物質と酸化還元反応を生じさせ、空気に含有される核バイオ化学の有毒物質を中和し、浄化後の空気をシェルの空気出口から排出する。
【００１３】
前述の技術手段を用いた本発明の空気浄化機には少なくとも、次の長所及び有益な効果が見られる。本発明は、空気浄化機のシェル内に触媒装置と発光ユニットを設置し、触媒装置と発光ユニットを気体動力ユニットの一方に設置する。それと同時に、核バイオ化学反応中和剤或いは水を入れるのに用いる一つ以上の蒸発皿を追加配置して、核バイオ化学有毒ガスの中和を行なう。核バイオ化学中和反応室では、中和剤と空気中のバイオ化学物質によって酸化還元反応が発生し、空気中のバイオ化学有毒物質は消失するか毒性を低下させ、空気の浄化目的を達成する。また、水或いはホウ酸で作る中和剤を、空気中の放射性物質の中性子分裂反応減速促進剤として用い、空気中の放射性物質による損傷を低下させる目的を実現する。それと共に、本発明の提供する空気浄化機は、空気の加湿作用を備えているため、さらに快適な呼吸環境を提供できる。
【００１４】
前述した通り、本発明は、空気浄化機に関するものであり、それは、シェルと気体動力ユニットと紫外線発光ユニットと中和剤を納める蒸発皿と触媒装置とを含む。前記気体動力ユニットは、シェルの空気入口に設置し、前記紫外線発光ユニットと前記触媒装置は、シェル内に設置する。本発明は、発光ユニットを触媒装置に組み合わせることにより、空気を浄化し、浄化後の空気をシェルの空気出口から排出する。本発明は、技術上に顕著な進歩が見られ、明らかに有益な効果が発揮されるため、新規性、進歩性、実用性を備えた新設計である。
【００１５】
前記説明は、本発明の技術手段の主な説明であり、本発明の技術手段をさらに深く御理解頂き、説明書の内容に基づいて実施できるよう、並びに、本発明の前述及びその他の目的、特徴、長所をさらに理解して頂くために、下記に、図面を参照した好ましい実施例を挙げて詳細説明を行なう。
【図面の簡単な説明】
【００１６】
【図１Ａ】本発明の一つの実施例による空気浄化機の側面図である。
【図１Ｂ】本発明の一つの実施例による空気浄化機の組立図である。
【図１Ｃ】本発明の一つの実施例による空気浄化機の背面図である。
【図２Ａ】本発明の一つの実施例による空気浄化機の立体図である。
【図２Ｂ】本発明の一つの実施例による空気浄化機の作業状態を示す立体図である。
【図３Ａ】本発明のもう一つの実施例による空気浄化機の作業状態を示す側面図である。
【図３Ｂ】本発明のもう一つの実施例による空気浄化機の側面図である。
【図３Ｃ】本発明のもう一つの実施例による空気浄化機の背面図である。
【図４】本発明空気浄化機の空気浄化を示す図である。
【図５】本発明空気浄化機の空気入口の断面図である。
【発明を実施するための形態】
【００１７】
本発明が予定する目的の実現に向けて採用する技術手段及び効果をさらに明らかにするために、次に、図面を参照とした好ましい実施例を挙げて、本発明で開示する空気浄化機に基づいた具体的な実施形態、構造、特徴、及びその効果についての詳細説明を行なう。
【００１８】
本発明の前述及びその他の技術内容、特徴、効果については、次に、参照する図面を組み合わせた好ましい実施例の詳細説明の中で明確に表示する。具体的な実施方式の説明によって、本発明が実現予定の目的のために採用する技術手段及び効果を、更に深く、具体的に理解可能である。しかし、添付する図面は単に参考及び説明用に提供するものであり、本発明に制約を加えるものではないことをここに明記する。
【００１９】
本発明は、元来の空気浄化機内の気体動力ユニット（中国実用新案、出願番号：第200820065704.7「フィルタネットをフラット配置した空気ろ過装置」黄福國。本発明の発明者でもある）を用いるか、或いは、別に取り付けた気体動力ユニットを中和剤の蒸発器とし、元来の光触媒或いはその他の触媒装置を中和剤、蒸気及び有毒物質と反応する触媒とする。即ち、本発明は、触媒装置と発光ユニットをシェル内に設置し、尚且つ、気体動力ユニットの一方に配置し、別に核バイオ化学反応中和剤或いは水を入れる一つ以上の蒸発皿を追加配置することで、本発明の核バイオ化学有毒ガスの中和を行なう核バイオ化学中和反応室ではさらに効果的な空気の浄化を行なうことができる。
【００２０】
図１Ａ乃至図１Ｃに示すとおり、図１Ａは、本発明の好ましい実施例の側面図である。図１Ｂは、本発明の好ましい実施例の組立図である。図１Ｃは本発明の好ましい実施例の背面図である。図に示す通り、本発明の空気浄化機１０はシェル１９を含み、その内、シェル１９には空気入口１１、気体動力ユニット１４、空気出口１３を設ける。前記空気入口１１の前方には空気穴蓋１１２と空気穴フィルタ材１１４を設ける。本発明の空気浄化機にはさらに触媒装置１５、発光ユニット１８、蒸発皿１７をさらに設ける。
【００２１】
空気フィルタ１２と気体動力ユニット１４は空気入口１１の後方に設置する。そのうち、本実施例の空気フィルタ１２は気体動力ユニット１４の前方に設置し、尚且つ、気体動力ユニット１４と接合する。本実施例の気体動力ユニット１４は、空気ブロワー、軸流ファン、送風機である。また、触媒装置１５、発光ユニット１８、蒸発皿１７は何れも気体動力ユニット１４の下方に位置するシェル１９内に設置し、組み合わせて核バイオ化学中和反応室２０を形成する。前記触媒装置１５と蒸発皿１７は何れも発光ユニット１８の一方に配置し、尚且つ触媒装置１５はさらに空気出口１３と発光ユニット１８の間に位置させ、蒸発皿１７には、液体或いは固体の核バイオ化学中和反応剤或いは水を入れる。前記水は、核反応炉で最もよく使用される中性子減速材と吸収材である。本実施例の発光ユニット１８は紫外線ライト或いは紫外線発光ダイオードであり、それは発射する紫光線を核バイオ化学中和反応室２０全体に充満させる。
【００２２】
図１Ｂ、並びに、参照とする図２Ａ及び図２Ｂに示すとおりであるが、図２Ａは、本発明の好ましい実施例の立体図であり、図２Ｂは本発明の好ましい実施例の作業状態を示す立体図である。気体動力ユニット１４は外部の未浄化空気２１をシェル１９内部に導きいれ、未浄化空気２１は空気穴フィルタ材１１４、空気穴蓋１１２、空気フィルタ１２、空気流通路１１６を通して、空気をシェル１９内部の核バイオ化学中和反応室２０に導く。しかも、空気ブロワー１４の気体流動動力によって蒸発皿１７に入れた中和剤１６を蒸発或いは昇華させ、核バイオ化学中和反応室２０内部に導き入れた空気と充分に混合させ、中和剤１６を用いて、核バイオ化学中和反応室２０内の空気中有毒物質を浄化する。触媒装置１５は中和剤１６に触媒作用を及ぼし、空気中の有毒物質と反応させ、最後に、浄化された空気は空気出口１３から排出される。
【００２３】
触媒装置１５は伝統的な光触媒フィルタネットであり、本発明では、触媒装置１５は主に、核バイオ化学有毒ガスの核バイオ化学中和反応室２０で使用する。また、核バイオ化学有毒ガスの種類に応じて、光触媒フィルタネットの触媒装置１５の一部或いは全部をその他の適当な材料の触媒フィルタネット、例えば二酸化マンガン、ニッケル、コバルト、白金、パラジウム等に交換可能である。
【００２４】
図３Ａ乃至図３Ｃに示す通り、図３Ａは本発明の好ましい実施例の作業状態を示す側面図であり、図３Ｂは本発明のもう一つの好ましい実施例を示す図であり、図３Ｃは本発明のもう一つの好ましい実施例の背面図である。前記図１Ａ乃至図１Ｃと、図３Ａ乃至図３Ｃの相違であるが、図１Ａ乃至図１Ｃの空気浄化機１０では、空気入口１１と気体動力ユニット１４の間に空気流通路１１６を設置するのに対し、図３Ａ乃至図３Ｃの空気浄化機１０では、空気清浄機３０のエア排出口３０４とシェル１９の間に連接風管１９４を設置することにある。図３Ａ乃至図３Ｃに示すとおり、本発明の空気浄化機１０の空気入口１１と空気フィルタ１２は、シェル１９内部に設置せず、別の空気ろ過器３０の主機器本体３０２に設置する。並びに、連接風管１９４を用いて空気清浄機３０のエア排出口３０４と連接し、空気清浄機３０でろ過した後の空気を気体動力ユニット１４に導き入れる。即ち、本実施例の空気浄化機１０はさらに、その他の空気ろ過器をさらに組み合わせて、その他の空気ろ過器が完全に浄化できない有毒気体をさらに浄化した後に、浄化後のきれいな空気を排出する。この様に、本発明は、従来の空気ろ過器を結合させて使用することで、従来の空気ろ過機器で核バイオ化学によって汚染された空気をろ過する浄化効果を高めることができる。
【００２５】
図４は、本発明の空気浄化機の空気浄化を示す図である。図に示すとおり、本発明の空気浄化機１０は、気密未完全キャビン２５内部に設置する。本実施例での気密未完全キャビン２５は一つの家屋を例に挙げて説明をする。気密未完全キャビン２５は通風口２５２、ドア２５４、ドアの隙間２５６を含み、空気浄化機１０は通風口２５２を貫通する連通管１０２によって介され、キャビン外環境空気２３３は該連通管１０２より吸入される。未浄化空気２１は連通管１０２内を空気入口１１方向に流動し、さらに、空気浄化機１０に接合した連通管接合カバー１０３によって、未清浄空気２１を空気浄化機１０の空気入口１１に導き、さらに、前記実施例の未清浄空気２１は空気穴フィルタ材１１４、空気穴蓋１１２、空気フィルタ１２、空気流通路１１６を経て、シェル１９内部の核バイオ化学中和反応室２０に導かれ、さらに、蒸発皿１７内の中和剤１６或いは水によって浄化が行なわれ、圧力が解除されたきれいな空気２２が空気出口１３から気密未完全キャビン２５内部に排出される。きれいな空気２２は圧力が解除された後に絶え間なく途切れることなく、気密未完全キャビン２５に排出され、正圧空間空気２２２に含まれる排気ガス２３と塵埃２４を希釈する。よって、気密未完全キャビン２５内に累積されて圧力となり、気密未完全キャビン２５内には正圧空間空気２２２が形成される。正圧空間空気２２２の気圧は、その圧力がドアの隙間２５６から排出されるため、気圧の大きさの関係は次の通りである。
【００２６】
きれいな空気２２＞気密未完全キャビン２５の気圧（正圧空間空気２２２）＞有害の排気ガス２３＞キャビン外環境空気２３３＞未清浄空気２１
【００２７】
気密未完全キャビン２５のキャビン内の気圧がキャビン外環境空気２３３の気圧を超える。これにより、正圧空間空気２２２は有害の排気ガス２３（揮発性有機化合物ＶＯＣ、二酸化炭素ＣＯ2、塵埃２４等は、ドアの隙間２５６から室外に排出されて圧力解除動作が完了し、途切れることなく、気密未完全キャビン２５の気圧とキャビン外の圧力のバランスをとる作業を行う。
【００２８】
本実施例はきれいな空気２２が、途切れずに気密未完全キャビン２５内部に流入されて、正圧空間空気２２２に含まれる排気ガス２３と塵埃２４を希釈し、排気ガス２３と塵埃２４を徐々に室外に押し出して排出する。さらに、圧力によって、キャビン外環境空気２３３が気密未完全キャビン２５のドアの隙間２５６から気密未完全キャビン２５内部に進入して正圧空間空気２２２を汚染するのを防ぐ。また、本発明の気密未完全キャビン２５は、前記実施例の家屋の他、コンテナ空間、洋服箪笥、船のキャビン、或いは車両内部空間等の気密が未完全の密封空間とすることも可能である。
【００２９】
図５に示すとおり、本発明空気浄化機の空気入口の断面図である。図に示すとおり、本発明の空気浄化機１０は連通管接合カバー１０３を空気入口１１に設置し、連通管１０２と接合する。連通管接合カバー１０３によって空気穴フィルタ材１１４と空気穴蓋１１２を被覆し、それと同時に、空気フィルタ１２を空気穴蓋１１２と気体動力ユニット１４の間に設置する。本実施例の気体動力ユニット１４は空気ブロワーであり、本実施例の空気フィルタ１２は活性炭繊維である。気体動力ユニット１４によって連通管１０２内の未清浄空気２１を吸入し、空気入口１１方向に流動させた後に、空気穴フィルタ材１１４と空気フィルタ１２に通す。気体動力ユニット１４の吸引力によって未清浄空気２１は即刻、減圧される。よって、正圧空間空気２２２の気圧は減圧された未清浄空気２１の気圧よりもはるかに大きくなる。このため、正圧空間空気２２２は環境気圧となり、連通管接合カバー１０３とシェル１９の接合箇所の隙間１０４は、環境圧力によって、正圧空間空気２２２内の気圧が減圧された未清浄空気２１の気圧よりもはるかに大きくなり、連通管１０２内の未清浄空気２１は、接合箇所の隙間１０４から外に漏れることは不可能となる。物理的に、高気圧は低気圧に向かって流動する原理により、未清浄空気２１が漏れて、気密未完全キャビン２５内の正圧空間空気２２２を汚染する状況の発生を確実に防ぐことができる。
【００３０】
また、本発明の空気浄化機１０は、蒸発皿１７内に水を入れ、水の蒸発ときれいな空気を充分に混合させた後に排出するため、空気の温度を調節し、空気の湿度を高められるため、冷加湿器となる。
【００３１】
前述に示す通り、本発明は空気浄化機であり、それは、核バイオ化学有毒ガスの核バイオ化学中和反応室に提供し、効果的に空気を浄化し、尚且つ、本発明は冷加湿器として使用して、空気の温度を調節し、空気の湿度を増加することができる。これにより、本発明は、核バイオ化学の有毒ガスのろ過設備構造を大幅に簡素化し、コストを削減する。
【００３２】
空気浄化機内の紫外線と触媒装置の原始機能と拡張機能は次の通りである。
（１）紫外線：高量子エネルギーの酸化還元反応の作業エネルギーを供給する。その作用は以下の通りである。
触媒装置に酸化還元反応エネルギーのソースを供給する。
中和剤と核バイオ化学物質に酸化還元反応エネルギーのソースを供給する。
（２）触媒装置は、中和反応を促進する装置であり、その作用は以下の通りである。
光触媒装置は、紫外線のエネルギー供給を受けて、有機物を直接分解する作用がある。
触媒装置は、紫外線のエネルギー供給を受けて、中和剤と核バイオ化学有毒ガスの酸化還元反応速度を速める作用がある。
（３）蒸発皿内にも水を加えてよく、その作用は次の通りである。
水の蒸発の主な目的は、水蒸気をバイオ化学有毒ガスの酸化還元反応中和剤とし、尚且つ、放射性物質の中性子減速材（Neutron  moderator。核反応炉で最もよく使用される中性子減速材と吸収剤）とすることにある。
水の蒸発の次の目的は、水蒸気と空気を混合して、空気を湿らせ、空気の温度を調整することにある。
【００３３】
本発明は、前述の通り、好ましい実施例を既に開示したが、これらは本発明に制約を加えるものではない。本業務に熟知する技術員が、本発明の技術手段の範囲を逸脱せずに、前述に開示した技術内容に基づいて若干の変更或いは修飾を加えて同等効果を有する実施例を生み出すことは可能であるが、本発明の技術手段を逸脱しない内容であり、本発明の技術的根本となるものに依拠して、以上の実施例に対して行なう如何なる簡単な修正、同等効果を有する変化、及び修飾は全て、本発明の技術手段の範囲内に属することをここに明記する。
【符号の説明】
【００３４】
１０            空気浄化機
１０２      連通管
１０３      連通管接合カバー
１０４      隙間
１１            空気入口
１１２      空気穴蓋
１１４      空気穴フィルタ材
１１６      空気流通路
１２            空気フィルタ
１３            空気出口
１４            気体動力ユニット
１５            触媒装置
１６            中和剤
１７            蒸発皿
１８            発光ユニット
１９            シェル
１９２      上蓋
１９４      連接風管
２０            核バイオ化学中和反応室
２１            未浄化空気
２２            きれいな空気
２２２      正圧空間空気
２３            排気ガス
２３３      キャビン外環境空気
２４            塵埃
２５            気密未完全キャビン
２５２      通風口
２５４      ドア
２５６      ドアの隙間
【図１Ａ】
2014511718.tif 000003
【図１Ｂ】
2014511718.tif 000004
【図１Ｃ】
2014511718.tif 000005
【図２Ａ】
2014511718.tif 000006
【図２Ｂ】
2014511718.tif 000007
【図３Ａ】
2014511718.tif 000008
【図３Ｂ】
2014511718.tif 000009
【図３Ｃ】
2014511718.tif 000010
【図４】
2014511718.tif 000011
【図５】
2014511718.tif 000012
【国際調査報告】
2014511718.tif 000013
2014511718.tif 000014
2014511718.tif 000015
2014511718.tif 000016